(57)【要約】【課題】  ユーザーの操作がなくても自動的にユーザーが好む放送プログラムの情報を提供したり、その視聴、通知、録画、予約録画等が行われるので、ユーザーの便宜性を向上させることができるディスプレイ装置、サーバー及びその制御方法を提供する。【解決手段】  ディスプレイ装置は、放送信号に基づいて放送プログラムの映像を表示するディスプレイ部と；サーバーと通信する通信部と；ユーザーによって視聴される前記放送プログラムに関する視聴情報を前記サーバーに送信し、前記サーバーから前記視聴情報に対応して推薦された放送プログラムの情報を受信して、前記推薦された放送プログラムが放送される時間帯別スケジュール情報を提供するように制御する制御部と；を含む。【選択図】      図１
2014155217.tif 000002
【特許請求の範囲】
【請求項１】
ディスプレイ装置において、
放送信号に基づいて放送プログラムの映像を表示するディスプレイ部と；
サーバーと通信する通信部と；
ユーザーによって、視聴される前記放送プログラムに関する視聴情報を前記サーバーに送信し、前記サーバーから前記視聴情報に対応して推薦された放送プログラムの情報を受信して、前記推薦された放送プログラムが放送される時間帯別スケジュール情報を提供するように制御する制御部と；
を含むことを特徴とするディスプレイ装置。
【請求項２】
前記制御部は、前記ユーザーが前記推薦された放送プログラムが放送される時間帯に前記推薦された放送プログラムを視聴できない場合、前記推薦された放送プログラムの録画を行うように制御することを特徴とする請求項１に記載のディスプレイ装置。
【請求項３】
前記制御部は、前記ユーザーが前記推薦された放送プログラムが放送される時間帯に前記推薦された放送プログラムを視聴できない場合、前記推薦された放送プログラムのＶＯＤを提供するように制御することを特徴とする請求項１に記載のディスプレイ装置。
【請求項４】
前記視聴情報は、視聴したチャンネル、放送プログラムのタイトル及び時間の中で少なくとも一つに関する情報を含むことを特徴とする請求項１に記載のディスプレイ装置。
【請求項５】
前記推薦された放送プログラムは、連続的に放送される一連の放送プログラムの中で何れか一つであることを特徴とする請求項１に記載のディスプレイ装置。
【請求項６】
前記推薦された放送プログラムは、視聴した放送プログラムのタイトル、俳優、監督、ジャンル及びシノプシスの中で少なくとも一つを含むユーザーの視聴プロファイルに対応することを特徴とする請求項１に記載のディスプレイ装置。
【請求項７】
前記制御部は、前記推薦された放送プログラムのスケジュール情報をＧＵＩの形態で前記ディスプレイ部に表示することを特徴とする請求項１に記載のディスプレイ装置。
【請求項８】
前記制御部は、前記推薦された複数の放送プログラムを優先順位に従って配列して表示することを特徴とする請求項１に記載のディスプレイ装置。
【請求項９】
前記制御部は、前記推薦された放送プログラムはユーザーが視聴する可能性が高ければ高いほど、高い前記優先順位を有することを特徴とする請求項８に記載のディスプレイ装置。
【請求項１０】
前記制御部は、前記推薦された放送プログラムがあることを前記ユーザーに知らせるように制御することを特徴とする請求項１に記載のディスプレイ装置。
【請求項１１】
前記制御部は、前記推薦された放送プログラムの録画可否を示す情報を前記サーバーに送信するように制御することを特徴とする請求項１に記載のディスプレイ装置。
【請求項１２】
ディスプレイ装置の制御方法において、
ユーザーによって視聴される放送プログラムに関する視聴情報をサーバーに送信する段階と；
前記サーバーから前記視聴情報に対応して推薦された放送プログラムの情報を受信する段階と；
前記推薦された放送プログラムが放送される時間帯別スケジュール情報を提供する段階と；
を含むことを特徴とするディスプレイ装置の制御方法。
【請求項１３】
前記ユーザーが前記推薦された放送プログラムが放送される時間帯に前記推薦された放送プログラムを視聴できない場合、前記推薦された放送プログラムの録画を行う段階をさらに含むことを特徴とする請求項１２に記載のディスプレイ装置の制御方法。
【請求項１４】
前記ユーザーが前記推薦された放送プログラムが放送される時間帯に前記推薦された放送プログラムを視聴できない場合、前記推薦された放送プログラムのＶＯＤを提供する段階をさらに含むことを特徴とする請求項１２に記載のディスプレイ装置の制御方法。
【請求項１５】
前記視聴情報は、視聴したチャンネル、放送プログラムのタイトル及び時間の中で少なくとも一つに関する情報を含むことを特徴とする請求項１２に記載のディスプレイ装置の制御方法。
【発明の詳細な説明】
【技術分野】
【０００１】
本発明は、ディスプレイ装置、サーバー及びその制御方法に係り、さらに詳しくは、放送信号に基づいてプログラムの映像を表示するディスプレイ装置、前記プログラムに関する情報を提供するサーバー及びその制御方法に関する。
【背景技術】
【０００２】
一般的に、ＴＶのようなディスプレイ装置は、所定のチャンネルの放送信号を受信し、受信された放送信号に含まれたプログラム（以下、‘放送プログラム’と言う）の映像を表示する。ディスプレイ装置は、インターネット等のようなネットワークを通じて連結されたサーバーから、例えば、ＥＰＧのような放送プログラムに関する情報（以下、‘プログラム情報’と言う）を受信してこれをユーザーに提供することができる。ユーザーは提供されるプログラム情報を利用して、好む放送プログラムを視聴したり録画したり、予約視聴／予約録画等をすることができる。
【０００３】
しかし、従来の技術によるディスプレイ装置は、プログラム情報として各放送プログラムの放送スケジュールや、チャンネル情報等を単純な形態で提供するので、ユーザーはこのような形態のプログラム情報を正しく活用しにくいと言う問題がある。また、ユーザーは自身が好むチャンネルやプログラムを選好チャンネル或いは選好プログラムと直接に登録しなければならなく、プログラム情報を参照して好むプログラムが放送される時間に合わせて視聴したり、その時間に合わせて、録画や、予約視聴／録画をしなければならない不便がある。
【発明の概要】
【発明が解決しようとする課題】
【０００４】
したがって、本発明の目的は、ユーザーの操作がなくても、自動的にユーザーが好む放送プログラムの情報を提供したり、その視聴、通知、録画、予約録画等が行われるようにディスプレイ装置、サーバー及びその制御方法を提供することである。
【課題を解決するための手段】
【０００５】
本発明の前記目的は、ディスプレイ装置において、放送プログラムの放送信号を処理する信号処理部と；前記処理された放送信号に基づいて前記放送プログラムの映像を表示するディスプレイ部と；サーバーと通信する通信部と；前記放送プログラムに関するユーザーの視聴情報を前記サーバーに送信し、前記サーバーから前記視聴情報に対応して推薦された放送プログラムの情報を受信して、前記推薦された放送プログラムの時間帯別スケジュール情報を提供するように制御する制御部と；を含むディスプレイ装置によって達成されることができる。
【０００６】
前記制御部は、前記ユーザーが前記推薦された放送プログラムを視聴できない場合、前記推薦された放送プログラムの録画を行うように制御することができる。
【０００７】
前記制御部は、前記ユーザーが前記推薦された放送プログラムを視聴できない場合、前記推薦された放送プログラムのＶＯＤを提供するように制御することができる。
【０００８】
前記視聴情報は、視聴したチャンネル、放送プログラム及び時間の中で少なくとも一つに関する情報を含むことができる。
【０００９】
前記推薦された放送プログラムは、連続的に放送される一連の放送プログラムの中で何れか一つであることができる。前記推薦された放送プログラムは、前記ユーザーの視聴プロファイルに対応することができる。
【００１０】
前記制御部は、前記推薦された放送プログラムのスケジュール情報をＧＵＩの形態で前記ディスプレイ部に表示することができる。
【００１１】
前記制御部は、前記推薦された複数の放送プログラムを優先順位に従って配列して表示することができる。前記制御部は、前記推薦された放送プログラムがあることを前記ユーザーに知らせるように制御することができる。
【００１２】
前記制御部は、前記推薦された放送プログラムの録画可否を示す情報を前記サーバーに送信するように制御することができる。
【００１３】
本発明の前記目的は、放送信号を処理する放送プログラムの映像を表示するディスプレイ装置の制御方法において、前記放送プログラムに関するユーザーの視聴情報を前記サーバーに送信する段階と；前記サーバーから前記視聴情報に対応して推薦された放送プログラムの情報を受信する段階と；前記推薦された放送プログラムの時間帯別スケジュール情報を提供する段階と；を含むディスプレイ装置の制御方法によっても達成されることができる。
【００１４】
ディスプレイ装置の制御方法は、前記ユーザーが前記推薦された放送プログラムを視聴できない場合、前記推薦された放送プログラムの録画を行う段階をさらに含むことができる。
【００１５】
ディスプレイ装置の制御方法は、前記ユーザーが前記推薦された放送プログラムを視聴できない場合、前記推薦された放送プログラムのＶＯＤを提供する段階をさらに含むことができる。
【００１６】
前記視聴情報は、視聴したチャンネル、放送プログラム及び時間の中で少なくとも一つに関する情報を含むことができる。
【００１７】
前記推薦された放送プログラムは、連続的に放送される一連の放送プログラムの中で何れか一つであることができる。前記推薦された放送プログラムは、前記ユーザーの視聴プロファイルに対応することができる。
【００１８】
前記スケジュール情報を提供する段階は、前記推薦された放送プログラムのスケジュール情報をＧＵＩの形態で表示する段階を含むことができる。前記スケジュール情報を提供する段階は、前記推薦された複数の放送プログラムを優先順位に従って配列して表示することができる。
【００１９】
ディスプレイ装置の制御方法は、前記推薦された放送プログラムがあることを前記ユーザーに知らせる段階をさらに含むことができる。ディスプレイ装置の制御方法は、前記推薦された放送プログラムの録画可否を示す情報を前記サーバーに送信する段階をさらに含むことができる。
【００２０】
本発明の前記目的は、サーバーにおいて、放送信号に基づいて放送プログラムの映像を表示するディスプレイ装置と通信する通信部と；前記放送プログラムの情報を保存する保存部と；前記ディスプレイ装置から前記放送プログラムに関するユーザーの視聴情報を受信し、前記視聴情報に対応して推薦する放送プログラムを決めて、前記推薦する放送プログラムの情報を前記ディスプレイ装置に送信するように制御する制御部と；を含むサーバーによっても達成されることができる。
【００２１】
前記視聴情報は、視聴したチャンネル、放送プログラム及び時間の中で少なくとも一つに関する情報を含むことができる。
【００２２】
前記推薦する放送プログラムは、連続的に放送される一連の放送プログラムの中で何れか一つであることができる。
【００２３】
前記制御部は、既に推薦された前記一連の放送プログラムの中で前記ユーザーがさらに視聴しないと予想される放送プログラムを排除した推薦情報を前記ディスプレイ装置に送信するように制御することができる。
【００２４】
前記推薦する放送プログラムは、前記ユーザーの視聴プロファイルに対応することができる。
【００２５】
前記推薦する放送プログラムの情報は、前記推薦する複数の放送プログラムの優先順位に関する情報を含むことができる。
【００２６】
前記制御部は、前記ディスプレイ装置から推薦された前記放送プログラムの録画可否を示す情報を受信し、前記受信された情報に基づく推薦情報を前記ディスプレイ装置に送信するように制御することができる。
【００２７】
本発明の前記目的は、サーバーの制御方法において、放送信号に基づいて放送プログラムの映像を表示するディスプレイ装置から前記放送プログラムに関するユーザーの視聴情報を受信する段階と；前記視聴情報に対応して推薦する放送プログラムを決める段階と；前記推薦する放送プログラムの情報を前記ディスプレイ装置に送信する段階と；を含むサーバーの制御方法によっても達成されることができる。
【００２８】
前記視聴情報は、視聴したチャンネル、放送プログラム及び時間の中で少なくとも一つに関する情報を含むことができる。
【００２９】
前記推薦する放送プログラムは、連続的に放送される一連の放送プログラムの中で何れか一つであることができる。
【００３０】
前記送信する段階は、既に推薦された前記一連の放送プログラムの中で前記ユーザーがさらに視聴しないと予想される放送プログラムを排除した推薦情報を前記ディスプレイ装置に送信する段階を含むことができる。
【００３１】
前記推薦する放送プログラムは、前記ユーザーの視聴プロファイルに対応することができる。前記推薦する放送プログラムの情報は、前記推薦する複数の放送プログラムの優先順位に関する情報を含むことができる。
【００３２】
サーバーの制御方法は、前記ディスプレイ装置から推薦された前記放送プログラムの録画可否を示す情報を受信する段階と；前記受信された情報に基づく推薦情報を前記ディスプレイ装置に送信する段階と；をさらに含むことができる。
【発明の効果】
【００３３】
前述のように、本発明によれば、ユーザーの操作がなくても、自動的にユーザーが好む放送プログラムの情報を提供したり、その視聴、録画、予約視聴／録画等が行われるようにして、ユーザーの便宜性を向上させることができる。
【図面の簡単な説明】
【００３４】
【図１】本発明の一実施形態によるディスプレイ装置及びサーバーを示す図である。
【図２】本発明の一実施形態によるディスプレイ装置の構成を示す図である。
【図３】本発明の一実施形態によるディスプレイ装置の動作を示すフローチャートである。
【図４】本発明の一実施形態によるサーバーの構成を示す図である。
【図５】本発明の一実施形態によるサーバーの動作を示すフローチャートである。
【図６】本発明の一実施形態によるサーバーが推薦プログラムを決める過程を示す図である。
【図７】本発明の一実施形態によるサーバーが推薦プログラムを決める過程の他の例を示す図である。
【図８】本発明の一実施形態によるサーバーが推薦プログラムの時間代別に推薦リストを構成する一例を示す図である。
【図９】本発明の一実施形態によるサーバーが推薦プログラムの時間代別に推薦リストを構成する他の例を示す図である。
【図１０】本発明の一実施形態によるディスプレイ装置が提供する推薦プログラムの時間帯別スケジュール情報を示すＧＵＩの一例を示す図である。
【図１１】本発明の一実施形態によるディスプレイ装置とサーバーとの具体的な相互動作を示す図である。
【図１２】本発明の一実施形態による推薦通知のための推薦プログラムの管理情報の一例を示す図である。
【図１３】本発明の一実施形態によるディスプレイ装置が表示する推薦通知のＧＵＩの一例を示す図である。
【図１４】本発明の一実施形態による推薦通知のための推薦プログラムの管理情報の他の例を示す図である。
【図１５】本発明の一実施形態によるディスプレイ装置が提供する推薦プログラムのスケジュール情報を示すＧＵＩの他の例を示す図である。
【図１６】本発明の一実施形態によるディスプレイ装置が提供する関連推薦プログラムの情報を示すＧＵＩの一例を示す図である。
【発明を実施するための形態】
【００３５】
以下、本発明の一実施形態に対して詳しく説明する。図１は本発明の一実施形態によるディスプレイ装置及びサーバーを示す図である。ディスプレイ装置１は、インターネットのようなネットワーク３を通じてサーバー２と連結される。ディスプレイ装置１は、ＴＶ、スマートフォン、スマートパッド、ＰＣ等の放送信号に基づいて映像を表示する装置である。ディスプレイ装置１は、ユーザーがいかなる放送プログラムを好むかをモニターして、これに対する情報（以下、‘視聴情報’と言う）を収集する。ディスプレイ装置１は、収集されたユーザーの視聴情報をサーバー２に送信する。サーバー２はディスプレイ装置１から送信されたユーザーの視聴情報に基づいて、ユーザーが好むと予想されてユーザーに推薦する放送プログラム（以下、‘推薦プログラム'と言う）を決める。サーバー２は決定された推薦プログラムの情報をディスプレイ装置１に送信する。推薦プログラムの情報は、推薦プログラムのチャンネル名、チャンネル番号、プログラムタイトル、始まり時間、終わり時間等の情報を含むことができる。ディスプレイ装置１は、サーバー２から送信された推薦プログラムの情報に基づいて、推薦プログラムの時間帯別スケジュール情報を提供する。推薦プログラムのスケジュール情報は、チャンネル別／時間帯別に放送される推薦プログラムの情報を含むことができる。スケジュール情報は、各推薦プログラムのシノプシス、出演陣、ポスターイメージ等、該当プログラムに対する付加情報をさらに含むことができる。したがって、ユーザーは自身が好む放送プログラムをいちいち指定しなくても、推薦プログラムのスケジュール情報を利用して自身が好む放送プログラムである可能性が高い推薦プログラムを便利に視聴することができる。また、ユーザーは時間帯別スケジュール情報を利用して適切な時間に推薦プログラムを視聴することができるので、さらに有効に推薦プログラムを視聴することができる。
【００３６】
図２は本発明の一実施形態によるディスプレイ装置１の構成を示す図である。ディスプレイ装置１は、信号受信部１１、信号処理部１２、ディスプレイ部１３、通信部１４及び制御部１７を含むことができる。信号受信部１１は放送信号を受信する。放送信号は、空中波放送、ケーブル放送、衛星放送等の方式で放送されることができる。放送信号は複数のチャンネルを有する。信号受信部１１は複数のチャンネルの中でユーザーによって選択されたいずれか一つのチャンネルの放送信号を受信する。信号処理部１２は信号受信部１１に受信される放送信号をディスプレイ部１３に映像が表示可能なように処理する。ディスプレイ部１３は信号処理部１２によって処理される放送信号に基づいて映像を表示する。通信部１４はサーバー２と通信する。通信部１４は制御部１７の制御により収集されたユーザーの視聴情報をサーバー２に送信し、サーバー２から推薦プログラムの情報を受信する。
【００３７】
制御部１７はディスプレイ装置１を全般的に制御する。制御部１７は、制御プログラムと、制御プログラムを保存するフラッシュ メモリー等の非揮発性のメモリーと、制御プログラムの少なくとも一部をローディングするラムのような揮発性のメモリーと、ローディングされた制御プログラムを実行するマイクロプロセッサーと、を含むことができる。
【００３８】
図３は制御部１７の制御によるディスプレイ装置１の動作を示すフローチャートである。まず、動作Ｓ３１で、ディスプレイ装置１はサーバー２から放送プログラムに対するユーザーの視聴情報をサーバー２に送信する。ディスプレイ装置１はユーザーの視聴情報を周期的に或いは非周期的にサーバー２に送信することができる。ディスプレイ装置１はユーザーの視聴パターンに基づいて視聴情報を収集することができる。ディスプレイ装置１はユーザーがいかなる放送プログラムを視聴するかをモニターして、ユーザーによって視聴された放送プログラムに関する情報を視聴情報として決めることができる。ユーザーの視聴情報は、ユーザーが視聴したチャンネル、放送プログラム、時間及び放送提供者の中で少なくとも一つに関する情報を含むことができる。例えば、ユーザーがいかなる放送プログラムを１０分視聴した場合、ディスプレイ装置１は該当放送プログラムのチャンネルと、プログラムのタイトル及び視聴時間（１０分或いは視聴始まり時間及び視聴終わり時間）の情報を視聴情報として決めることができる。ディスプレイ装置１は、視聴情報としてユーザーが視聴した放送プログラムの識別情報（ＩＤ）をサーバー２に送信することができる。放送プログラムの識別情報（ＩＤ）は放送信号のＥＰＧ情報から得ることができる。ディスプレイ装置１はＥＰＧ情報をサーバー２から受信することができる。ディスプレイ装置１はそれぞれの放送プログラムの視聴が終る時ごとに該当視聴情報をサーバー２に送信することができる。ディスプレイ装置１は所定の周期で該当視聴情報をサーバー２に送信することもできる。
【００３９】
次に、動作Ｓ３２で、ディスプレイ装置１はサーバー２からユーザーの視聴情報に対応する推薦プログラムの情報を受信する。ディスプレイ装置１は所定の周期でサーバー２からユーザーの視聴情報に対応する推薦プログラムの情報を受信することができる。例えば、ディスプレイ装置１は少なくとも毎日一回ずつサーバー２から推薦プログラムの情報を受信することができる。動作Ｓ３３で、ディスプレイ装置１はサーバー２から受信された情報に基づいて、推薦プログラムの時間帯別スケジュール情報を提供する。
【００４０】
図２に示すように、ディスプレイ装置１はディスプレイ装置１の動作に必要なデータや情報を保存する保存部１５と、ユーザーの命令を受信する命令受信部１６と、をさらに含むことができる。
【００４１】
図４は本発明の一実施形態によるサーバー２の構成を示す図である。サーバー２は通信部２１、保存部２３及び制御部２２を含むことができる。通信部２１はディスプレイ装置１と通信する。通信部２１は制御部２２の制御によりディスプレイ装置１から放送プログラムに関するユーザーの視聴情報を受信し、受信されたユーザーの視聴情報に対応する推薦プログラムの情報をディスプレイ装置１に送信する。保存部２３は推薦プログラムの情報２３１を保存する。
【００４２】
制御部２２はサーバー２を全般的に制御する。制御部２２は制御プログラムと、制御プログラムを保存するフラッシュ メモリー等の非揮発性のメモリーと、制御プログラムの少なくとも一部をローディングするラムのような揮発性のメモリーと、ローディングされた制御プログラムを実行するマイクロプロセッサーと、を含むことができる。図５は制御部２２の制御によるサーバー２の動作を示すフローチャートである。まず、動作Ｓ５１で、サーバー２はディスプレイ装置１から放送プログラムに関するユーザーの視聴情報を受信する。次に、動作Ｓ５２で、サーバー２は受信されたユーザーの視聴情報に対応する推薦プログラムを決める。次に、動作Ｓ５３で、サーバー３は決定された推薦プログラムの情報をディスプレイ装置１に送信する。
【００４３】
図６は本発明の一実施形態によるサーバー２が推薦プログラムを決める過程を示す図である。具体的に、図６はディスプレイ装置１から受信されたユーザーの視聴情報から得た放送プログラムと、それに対するユーザーの視聴可否に関する情報を示す。サーバー２はユーザーの視聴情報としてユーザーが視聴した放送プログラムの識別情報（ＩＤ）を受信することができる。サーバー２はＥＰＧ情報と、ディスプレイ装置１から受信された放送プログラムの識別情報（ＩＤ）に基づいて、ユーザーが視聴した放送プログラムのチャンネル、プログラムのタイトル等の情報を確認することができる。サーバー２はディスプレイ装置１から度々受信されたユーザーの視聴情報に基づいて推薦プログラムを決めることができる。図６に示すように、サーバー２は視聴情報に基づいて、ユーザーが例えば、シリーズ物の放送プログラム（‘Ｌｏｓｔ  Ｓｅａｓｏｎ１’）を３回（‘エピソード１’、‘エピソード２’及び‘エピソード３’）にかけて連続して視聴したと判断することができる。したがって、サーバー２はユーザーの視聴パターンに基づいて、ユーザーは‘Ｌｏｓｔ  Ｓｅａｓｏｎ１’の次の放送プログラム（‘エピソード４’）を視聴する可能性が高いと推測することができる。したがって、サーバー２は‘Ｌｏｓｔ  Ｓｅａｓｏｎ１、エピソード４’の放送プログラムを推薦プログラムとして決めることができる。本実施例では、シリーズ物の放送プログラムを、例えば、３回以上、連続して視聴した場合に該当放送プログラムの次の放送を視聴する可能性が高いと判断することができる。ただし、連続して視聴する回数はこれに限られず別に決まることができる。
【００４４】
図７は本発明の一実施形態によるサーバー２が推薦プログラムを決める過程の他の例を示す図である。具体的に、図７はディスプレイ装置１から受信されたユーザーの視聴情報から得た放送プログラムと、それに対するユーザーの視聴可否に関する情報を示す。図７に示すように、サーバー２は視聴情報に基づいて、ユーザーが、例えば、シリーズ物の放送プログラム(‘Ｌｏｓｔ  Ｓｅａｓｏｎ１')を４回(‘エピソード１’、‘エピソード２'、‘エピソード３'及び‘エピソード４')にかけて、続いて視聴したが、その次の２回の放送プログラム（‘エピソード５'及び‘エピソード６'）は視聴しないと判断することができる。これに、サーバー２はユーザーの視聴パターンを考慮する時、ユーザーは‘Ｌｏｓｔ  Ｓｅａｓｏｎ１'の次の回の放送プログラム（‘エピソード７'）を視聴しない可能性が高いと推測することができる。したがって、サーバー２は‘Ｌｏｓｔ  Ｓｅａｓｏｎ１、エピソード７'の放送プログラムをさらに推薦プログラムと思わなくて、これを推薦プログラムから排除することができる。本実施例では、シリーズ物の放送プログラムを例えば、２回以上続いて視聴しなかった場合該当放送プログラムの次の回を視聴する可能性が低いと判断することができる。ただし、連続して視聴しない回数はこれに限られず別に決まることができる。
【００４５】
サーバー２はユーザーの視聴情報に対応する推薦プログラムの情報を推薦プログラムのリスト（以下、‘推薦リスト'と言う）の形式でディスプレイ装置１に提供することができる。本実施形態の推薦リストは、図６及び７を参照して説明した推薦プログラムを含むことができる。サーバー２は、図６に示すように、推薦プログラムと決定された‘Ｌｏｓｔ  Ｓｅａｓｏｎ１'の次の回の放送プログラム（‘エピソード４'）を該当ユーザーの推薦リストに追加させることができる。または、サーバー２は図７に示すように、さらに推薦プログラムと思わない‘Ｌｏｓｔ  Ｓｅａｓｏｎ１'の次の回の放送プログラム（‘エピソード７'）を該当ユーザーの推薦リストから排除させることができる。
【００４６】
サーバー２は推薦プログラムの時間代別に推薦リストを構成することができる。図８は本発明の一実施形態によるサーバー２が推薦プログラムの時間代別に推薦リストを構成する一例を示す図である。図８に示すように、サーバー２は、例えば、１日分の放送スケジュールに該当する推薦リスト８を構成することができる。具体的に、推薦リスト８は午前６時から夜１２時までの時間帯別８１に推薦プログラム８２を含むことができる。本実施例では、１日分の放送スケジュールに該当する推薦リスト８を例えて説明したが、他の例として、推薦リスト８は何日分の放送スケジュールに該当することもできる。サーバー２は推薦プログラム８２に優先順位を置いて推薦リスト８を構成することができる。例えば、サーバー２は、図６及び７を参照して説明した推薦プログラム８３を推薦リスト８に優先的に含ませることができる。推薦リスト８で、推薦プログラム８３が構成される時間帯（午前８時及び午後１０時）は該当推薦プログラム８３が放送される時間帯であることができる。推薦プログラム８２、８３の優先順位は多様な基準によって決定されることができる。本実施例でのサーバー２は、図６及び７を参照して説明したように、例えば、シリーズ物の放送プログラムのようにユーザーが視聴する可能性が高い放送プログラムを他の放送プログラムに比べて優先順位を高く決めることができる。
【００４７】
図９は本発明の一実施形態によるサーバー２が推薦プログラムの時間代別に推薦リストを構成する他の例を示す図である。サーバー２は優先順位が高い推薦プログラム８３を推薦リスト８に先に含ませて、他の時間帯を推薦プログラム８３より優先順位が低い推薦プログラム９１で含むことができる。優先順位が低い推薦プログラム９１は、ユーザーの視聴プロファイルに基づいて決定されることができる。ユーザーの視聴プロファイルは、ユーザーが好んで、視聴した放送プログラムの情報である。例えば、ユーザーの視聴プロファイルは、ユーザーがしばしば視聴した放送プログラムのタイトル、俳優、監督、ジャンル、シノプシス等の情報を含むことができる。サーバー２はＥＰＧ情報を参照して、ユーザーの視聴プロファイルと類似のプロファイルを有する放送プログラムを探して、見つけた放送プログラムをユーザーの視聴プロファイルに対応する推薦プログラムと決めることができる。サーバー２はユーザーの視聴プロファイルに対応する推薦プログラム９１で推薦リスト８の他の時間帯を含むことができる。推薦リスト８で、優先順位が高い推薦プログラム８３と、優先順位が低い推薦プログラム９１は、相互間の区別のために互いに異なるタグ値を有することができる。
【００４８】
ディスプレイ装置１はサーバー２から送信された推薦リストに基づいて推薦プログラムの時間帯別スケジュール情報をユーザーに提供することができる。推薦プログラムの時間帯別スケジュール情報はＧＵＩの形態で提供されることができる。図１０は本発明の一実施形態によるディスプレイ装置１が提供する推薦プログラムの時間帯別スケジュール情報を示すＧＵＩの一例を示す図である。ＧＵＩ１０１は推薦プログラムのスケジュール情報を時間帯別１０５に示す。ＧＵＩ１０１は現在に放送されている推薦プログラムを示す第１領域１０２と、これから放送される推薦プログラムを示す第２領域１０３を含むことができる。第１領域１０２及び第２領域１０３各々は、複数のサブ領域１０２１、１０２２、１０３１及び１０３２を含むことができる。複数のサブ領域１０２１、１０２２、１０３１及び１０３２各々には、該当時間帯に放送される推薦プログラムの情報が表示されることができる。推薦プログラムの情報は、推薦プログラムのサムネール
イメージ、細部時間スケジュール、チャンネル情報、プログラムのタイトル、その他の付加情報等を含むことができる。複数のサブ領域１０２１、１０２２、１０３１及び１０３２は、同一だったり、互いに異なる大きさを有することができる。ディスプレイ装置１はユーザーの命令に従って現在に表示された時間帯１０５とは異なる時間帯の推薦プログラムの情報をＧＵＩ１０１に表示することができる。すなわち、ユーザーはリモコンの上下左右ボタン等を利用してＧＵＩ１０１に表示された推薦プログラムの情報をナビゲーションすることができる。ディスプレイ装置１はＧＵＩ１０１を通じるユーザーの選択により現在に放送されている推薦プログラムを選局して、ユーザーが推薦プログラムをすぐ視聴することができるようにすることができる。ＧＵＩ１０１はユーザーによって選択されることができるショートカット項目１０４をさらに含むことができる。ショートカット項目１０４はユーザーの選好チャンネル、録画された放送プログラム、優先順位が高い推薦プログラム等を含むことができる。ディスプレイ装置１はユーザーがショートカット項目１０４を選択すれば、選択されたショートカット項目１０４に対応するチャンネルや、放送プログラムの情報を提供することができる。
【００４９】
図１１は本発明の一実施形態によるディスプレイ装置１とサーバー２との間の具体的な相互動作を示す図である。動作Ｓ１１１で、ディスプレイ装置１は収集されたユーザーの視聴情報をサーバー２に送信する。動作Ｓ１１２で、サーバー２はディスプレイ装置１から送信されたユーザーの視聴情報に基づいて推薦プログラムを決める。動作Ｓ１１３で、サーバー２は決定された推薦プログラムの情報、例えば、推薦リストをディスプレイ装置１に送信する。動作Ｓ１１４で、ディスプレイ装置１はサーバー２から送信された推薦リストに基づいて推薦プログラムのスケジュール情報を提供する。また、ディスプレイ装置１はサーバー２から送信された推薦リストの推薦プログラムがあることをユーザーに知らせることができる（以下、‘推薦通知'と言う）。詳しくは、ディスプレイ装置１は推薦プログラムが放送される時間帯にユーザーが他の放送プログラムを見ている場合、推薦通知を行うことができる。ディスプレイ装置１はサーバー２から送信された推薦リストの推薦プログラムの中で優先順位が高い推薦プログラムに対して推薦通知を行うことができる。
【００５０】
図１２は本発明の一実施形態による推薦通知のための推薦プログラムの管理情報の一例を示す図である。推薦プログラムの管理情報１２１は、推薦プログラムのＩＤ１２２、プログラムのタイトル１２３及び放送時間１２４を含むことができる。ディスプレイ装置１は推薦リストに基づいて推薦プログラムの管理情報１２１を生成して貯蔵しておくことができる。推薦プログラムの管理情報１２１には推薦する複数の推薦プログラムが順次的に羅列されることができる。ディスプレイ装置１は推薦プログラムの管理情報１２１を参照して、ある推薦プログラムが放送される時間帯が近づけば、該当推薦プログラムに対する推薦通知を行うことができる。ディスプレイ装置１はＧＵＩの形態で推薦プログラムに対する推薦通知を行うことができる。図１３は本発明の一実施形態によるディスプレイ装置１が表示する推薦通知のＧＵＩの一例を示す図である。推薦通知のＧＵＩ１３１は、推薦プログラムのサムネールイメージ１３３と、通知メッセージ１３２を含むことができる。推薦通知のＧＵＩ１３１は、ユーザーによって選択可能なこととして現在に通知がある推薦プログラムを視聴するための項目１３４をさらに含むことができる。ディスプレイ装置１はユーザーがＧＵＩ１３１の項目１３４を選択すれば、該当推薦プログラムを選局してユーザーが推薦プログラムをまさに視聴することができるようにする。ディスプレイ装置１はある推薦プログラムに対する推薦通知が完了されると、推薦プログラムの管理情報１２１に推薦通知が完了されたことを反映する。すなわち、ディスプレイ装置１は推薦プログラムの管理情報１２１で推薦通知が完了された推薦プログラムの情報１２５を削除する。削除結果、図１４に示すように、推薦プログラムの管理情報１４１には推薦通知が完了された推薦プログラムの情報１２５が排除される。ディスプレイ装置１は推薦プログラムの管理情報１４１を参照して次の順序の推薦プログラムの推薦通知を行うことができる。
【００５１】
図１１を再び参照すれば、動作Ｓ１１５で、ディスプレイ装置１はユーザーが推薦プログラムを視聴するようにすることができる。また、ディスプレイ装置１は推薦プログラムを録画することができる。推薦プログラムの録画は、ユーザーの要請によって行われたり、自動に行われることができる。ディスプレイ装置１はユーザーが推薦プログラムを視聴しない場合、該当推薦プログラムを録画することができる。例えば、推薦プログラムが放送される時間帯にユーザーが他の放送プログラムを視聴したり、ユーザーがディスプレイ装置１を消した場合に、ディスプレイ装置１は推薦プログラムを録画することができる。ディスプレイ装置１を消した場合には、ディスプレイ装置１がスリップ  モード或いは節電モードで動作しながら、該当推薦プログラムが放送される時間帯が近づけば、自動で点いて該当推薦プログラムを録画することができる。推薦プログラムの録画はユーザーの命令によって予め予約（以下、‘予約録画'と言う）されることができる。ディスプレイ装置１は、ＧＵＩを通じて、推薦プログラムに対するユーザーの録画或いは予約録画の命令が入力されることができる。例えば、図１３に示すように、ＧＵＩ１３１は推薦プログラムに対する録画或いは予約録画のためのユーザーの命令が入力されるための項目１３５をさらに含むことができる。ディスプレイ装置１はユーザーがＧＵＩ１３１の項目１３５を選択すれば、該当推薦プログラムに対する録画或いは予約録画を行うことができる。録画された推薦プログラムは、後にユーザーの要請によって視聴されることができる。例えば、ディスプレイ装置１は、図１０に示すＧＵＩ１０１の項目１０４を利用してユーザーが録画された推薦プログラムの視聴を要請した場合、録画された該当推薦プログラムをユーザーに見せることができる。他の例として、ディスプレイ装置１はユーザーが推薦プログラムを視聴しない場合、該当推薦プログラムに対するＶＯＤコンテンツをユーザーに提供することもできる。
【００５２】
図１１を再び参照すれば、動作Ｓ１１６で、ディスプレイ装置１はユーザーが推薦プログラムを視聴した可否に関する視聴情報をサーバー２に送信することができる。また、ディスプレイ装置１は推薦プログラムに対する録画或いは予約録画可否に関する視聴情報もサーバー２に送信することができる。動作Ｓ１１７で、サーバー２はディスプレイ装置１から送信されるアップデートされたユーザーの視聴情報に基づいて該当ユーザーの推薦プログラムを再び決めることができる。これによって、推薦リストにある推薦プログラムが追加されたり、或いは排除されることができる。動作Ｓ１１７で、サーバー２は再び決定された推薦プログラムの新しい推薦情報をディスプレイ装置１に送信する。動作Ｓ１１８で、ディスプレイ装置１は新しい推薦情報に基づいてアップデートされた推薦プログラムのスケジュール情報を提供し、推薦通知や、録画／予約録画等を行うことができる。
【００５３】
図１５は本発明の一実施形態によるディスプレイ装置１が提供する推薦プログラムのスケジュール情報を示すＧＵＩの他の例を示す図である。ＧＵＩ１５０１は複数の推薦プログラム１５０２、１５０３及び１５０４を優先順位に従って配列して表示することができる。例えば、推薦プログラム１５０２の優先順位が最も高くて、推薦プログラム１５０３の優先順位はその次、推薦プログラム１５０４の優先順位は最も低いこともできる。図１６は本発明の一実施形態によるディスプレイ装置１が提供する関連推薦プログラムの情報を示すＧＵＩの一例を示す図である。ＧＵＩ１６０１は現在に表示されている放送プログラム１６０２と共に表示されることができる。例えば、ＧＵＩ１６０１は画面の下方の領域に現在表示されている放送プログラム１６０２の上に表示されることができる。ＧＵＩ１６０１は現在表示されている放送プログラム１６０２に対応する関連推薦プログラムの情報１６０３を含むことができる。例えば、関連推薦プログラムの情報１６０３は現在表示されている放送プログラム１６０２のようなシリーズ物の他のエピソード、俳優／キャスティング、関連した他の推薦プログラム等の項目を含むことができる。ディスプレイ装置１はユーザーがＧＵＩ１６０１の項目１６０３を選択すれば、該当関連推薦プログラムの情報を提供することができる。
【００５４】
このように、本発明の一実施形態によるディスプレイ装置１と、サーバー２によれば、ディスプレイ装置１で提供されるチャンネルや放送プログラムが非常に多い場合、これらの中でユーザーが好む放送プログラムを選別して提供することができる。したがって、ユーザーは別途の入力や行動なくてもディスプレイ装置１や、サーバー２が自動でスマートに推薦プログラムのスケジュール情報を提供することによって、ユーザーの放送プログラムの視聴を助けることができる。従来の技術によるＥＰＧがチャンネル軸と時間軸を基準として放送プログラムを単純に羅列する一方、本発明の一実施形態によるディスプレイ装置１と、サーバー２が提供する推薦プログラムのスケジュール情報は、ユーザーの視聴パターン或いは視聴履歴に基づいてユーザーが好むプログラムだけを選別して見せる個別ユーザーに最適化されたＥＰＧということができる。また、本発明の一実施形態によるディスプレイ装置１と、サーバー２が提供する推薦プログラムのスケジュール情報は、ユーザーの視聴パターンを具体的に分析して、ユーザーが見る可能性が高い放送プログラムを時間帯別スケジュールの形態で推薦するので、ユーザーは何か面白いことが見たい時に、簡単で容易に好む放送プログラムを探して視聴することができる。また、本発明の一実施形態によるディスプレイ装置１は、ユーザーがしばしば見る選好放送プログラム（推薦プログラム）を何の理由で視聴しなかった場合に、自動に該当推薦プログラムを録画したり、関連されたＶＯＤコンテンツを探してユーザーに提供することによって、ユーザーの便宜性をさらに向上させることができる。
【００５５】
以上、好ましい実施例を通じて本発明に対して詳しく説明したが、本発明はこれに限定されず、特許請求範囲の内で多様に実施されることができる。
【符号の説明】
【００５６】
１      ディスプレイ装置
２      サーバー
１１    信号受信部
１２    信号処理部
１３    ディスプレイ部
１４    通信部
１５    保存部
１６    命令受信部
１７    制御部
２１    通信部
２２    制御部
２３    保存部
【図１】
2014155217.tif 000003
【図２】
2014155217.tif 000004
【図３】
2014155217.tif 000005
【図４】
2014155217.tif 000006
【図５】
2014155217.tif 000007
【図６】
2014155217.tif 000008
【図７】
2014155217.tif 000009
【図８】
2014155217.tif 000010
【図９】
2014155217.tif 000011
【図１０】
2014155217.tif 000012
【図１１】
2014155217.tif 000013
【図１２】
2014155217.tif 000014
【図１３】
2014155217.tif 000015
【図１４】
2014155217.tif 000016
【図１５】
2014155217.tif 000017
【図１６】
2014155217.tif 000018